(57)【要約】【課題】他の使用形態の照明装置として、又は表示装置等の異なる用途の装置として用いることができる照明装置を提供する。【解決手段】光源を有する灯部１と、灯部１が取付けられている取付部２と、取付部２が設けられている基部３とを備え、灯部１を基部３に離隔して保持するように構成された照明装置１０において、取付部２を灯部１及び基部３夫々に着脱可能に構成してなる可変構造を備えている。これにより、灯部１を基部３に立設された取付部２により保持することにより電気スタンドとして用いることができるとともに、取付部２を灯部１及び基部３から取り外して、灯部１と基部３とを、灯部１の矩形板部１１ａと基部３の矩形板部３１ａとを当接させた状態にて、固定部材により一体化したのち、照明装置１０を壁に保持することにより、他の使用形態の照明装置、即ちフットライト等の壁掛け型の照明装置としても用いることができる。【選択図】図１
2009301806.tif 000002
【特許請求の範囲】
【請求項１】
光源を有する灯部と、机上面等の設置面に設置するための基部とを有し、所定の状態で照明する照明装置において、
前記灯部及び基部を用途に応じた形態に変更する可変構造を備えることにより、壁掛け用等の所望の用途にも適用可能であることを特徴とする照明装置。
【請求項２】
光源を有する灯部と、該灯部が取付けられている取付部と、該取付部が設けられている基部とを備え、前記灯部を前記基部に離隔して保持するように構成された照明装置において、前記灯部及び基部を近接して対向させる可変構造を備えることを特徴とする照明装置。
【請求項３】
前記灯部は前記光源からの光が出射される側と逆側に平面を有しており、前記基部は前記灯部の側に平面を有しており、前記灯部の平面と前記基部の平面とを当接させて前記灯部及び基部を一体化するようにしてあることを特徴とする請求項１又は２に記載の照明装置。
【請求項４】
前記灯部が取り付けられ前記基部に設けられる取付部は、前記灯部及び基部夫々に着脱可能に構成してあることを特徴とする請求項１から３の何れか一つに記載の照明装置。
【請求項５】
前記灯部及び基部は前記取付部が嵌合する嵌合部を有しており、前記灯部及び基部のうち何れか一方に該灯部及び基部間を接続する電線の少なくとも一部を収納する収納部が設けてあることを特徴とする請求項４に記載の照明装置。
【請求項６】
前記取付部は、折りたたみ可能に構成してあることを特徴とする請求項２又は３に記載の照明装置。
【請求項７】
前記取付部は、前記灯部及び基部夫々に一端側にて取付けられた第１，第２取付筒と、該第１，第２取付筒を他端側にて枢着する枢着部とを備えていることを特徴とする請求項６に記載の照明装置。
【請求項８】
前記灯部及び基部が固定される固定面と、照明装置を保持すべく保持部材に設けられた掛止体に掛止する被掛止孔が設けられ、前記固定面に立設された被掛止板部とを有する固定部材を備えていることを特徴とする請求項１から７の何れか一つに記載の照明装置。
【請求項９】
前記灯部は複数の光源を備えてなり、該複数の光源夫々の点灯を制御することにより文字及び／又はパターンを表示するように構成してあることを特徴とする請求項１から８の何れか一つに記載の照明装置。
【請求項１０】
前記光源はＬＥＤを備えてなることを特徴とする請求項１から９の何れか一つに記載の照明装置。
【発明の詳細な説明】
【技術分野】
【０００１】
本発明は、所謂電気スタンド等の種々の用途に用いられる照明装置に関する。
【背景技術】
【０００２】
住宅、オフィス等の室内の各種照明に用いられる照明装置、文字及び／又はパターンを表示する表示装置等の光源を備える装置において、従来、光源として蛍光灯が広く用いられている。近年、発光ダイオード（以下、ＬＥＤという）の高輝度化に伴い、低消費電力、長寿命等の特性を有するＬＥＤが光源として用いられている（例えば、特許文献１参照）。
【０００３】
特許文献１において、照明装置として、机上面に置く本体部と、該本体部に対して可動自在なアーム部と、該アーム部の先端に取付けられ、ＬＥＤを有する灯体部とを備えてなる所謂卓上用の電気スタンドが例示してある。
【特許文献１】特開２００７−３２９１００号公報
【発明の開示】
【発明が解決しようとする課題】
【０００４】
ところで、照明装置として、特許文献１に示すような机上を照らす電気スタンドの他、通路の壁下部に設けられ、足元を照らすフットライト、天井に設けられ、部屋全体を照明するシーリングライト、部屋を局所的に照明するダウンライト等、種々の用途に応じて使用形態の異なる多種多様な照明装置がある。そこで、一つの用途のみでなく、他の用途にも用いることができるように異なる使用形態に変更することができるように照明装置を構成することが使用者の便宜上望ましい。
【０００５】
また、特許文献１の照明装置の如く、照明装置を照明用としてのみ用いることが一般的であるが、ＬＥＤのような小型の光源を複数有する照明装置を、複数の光源夫々の点灯／消灯を制御することにより文字及び／又はパターンを表示する表示装置としても用いることが考えられる。このように構成することにより、照明装置の用途が広がり、使用者の便宜上望ましい。
【０００６】
本発明は斯かる事情に鑑みてなされたものであり、用途に応じた他の使用形態の照明装置として、又は表示装置等の異なる用途の装置として用いることができる照明装置を提供することを目的とする。
【課題を解決するための手段】
【０００７】
本発明に係る照明装置は、光源を有する灯部と、机上面等の設置面に設置するための基部とを有し、所定の状態で照明する照明装置において、前記灯部及び基部を用途に応じた形態に変更する可変構造を備えることにより、壁掛け用等の所望の用途にも適用可能であることを特徴とする。
【０００８】
本発明にあっては、光源を有する灯部と、机上面等の設置面に設置するための基部とを用途に応じた形態に変更する可変構造を備えているから、机上を照明する用途に用いることができるとともに、壁に掛けて足元等を照明する用途、さらに文字及び／又はパターン等の表示という異なる用途等、所望の用途にも用いることが可能となる。
【０００９】
本発明に係る照明装置は、光源を有する灯部と、該灯部が取付けられている取付部と、該取付部が設けられている基部とを備え、前記灯部を前記基部に離隔して保持するように構成された照明装置において、前記灯部及び基部を近接して対向させる可変構造を備えることを特徴とする。
【００１０】
本発明にあっては、光源を有する灯部と、該灯部が取付けられている取付部が設けられている基部とを近接して対向させることができる可変構造を備えているから、灯部を基部に設けられた取付部により保持することにより電気スタンドとして用いることができるとともに、可変構造により、灯部を適切な向きにした状態にて、灯部及び基部を近接して対向させることにより、用途に応じた他の使用形態の照明装置、例えば、通路の壁下部に設けられて足元を照らすフットライト等の壁掛け型の照明装置としても用いることが可能となる。
【００１１】
本発明に係る照明装置は、前記灯部は前記光源からの光が出射される側と逆側に平面を有しており、前記基部は前記灯部の側に平面を有しており、前記灯部の平面と前記基部の平面とを当接させて前記灯部及び基部を一体化するようにしてあることを特徴とする。
【００１２】
本発明にあっては、灯部の光出射側と逆側の平面と、基部の灯部側の平面とを当接させて灯部及び基部を一体化するようにしてあるから、省スペース化を図りつつ、例えばフットライト等の他の使用形態の照明装置として用いることができる。
【００１３】
本発明に係る照明装置は、前記灯部が取り付けられ前記基部に設けられる取付部は、前記灯部及び基部夫々に着脱可能に構成してあることを特徴とする。
【００１４】
本発明にあっては、取付部が灯部及び基部夫々に着脱することができるように構成してあるから、取付部を灯部及び基部夫々から取り外して灯部と基部とを近接して対向させることにより、例えばフットライト等の他の使用形態の照明装置として用いることができる。取付部を灯部及び基部から取り外しているから、美観に資する。
【００１５】
本発明に係る照明装置は、前記灯部及び基部は前記取付部が嵌合する嵌合部を有しており、前記灯部及び基部のうち何れか一方に該灯部及び基部間を接続する電線の少なくとも一部を収納する収納部が設けてあることを特徴とする。
【００１６】
本発明にあっては、取付部と灯部及び基部夫々に設けられた嵌合部との嵌合状態を解除し、灯部及び基部間を接続する電線の少なくとも一部を灯部及び基部のうち何れか一方に設けられた収納部に収納する。灯部及び基部の形状を適切に設定することにより、例えばフットライト等の他の使用形態において直方体状を有するように照明装置を構成することが可能となり、美観に資する。
【００１７】
本発明に係る照明装置は、前記取付部は、折りたたみ可能に構成してあることを特徴とする。
【００１８】
本発明にあっては、灯部の向きを適切に設定したのち取付部を折りたたむことにより灯部と基部とを近接して対向させることができ、取付部を取外す作業をすることなく、例えばフットライト等の他の使用形態の照明装置として用いることが可能となる。
【００１９】
本発明に係る照明装置は、前記取付部は、前記灯部及び基部夫々に一端側にて取付けられた第１，第２取付筒と、該第１，第２取付筒を他端側にて枢着する枢着部とを備えていることを特徴とする。
【００２０】
本発明にあっては、第１取付筒と第２取付筒とを枢着する枢着部を中心として第１，第２取付筒を相対回転させて取付部を折りたたむことにより、灯部と基部とを近接して対向させることができ、簡易な構成にて取付部を取外す作業をすることなく、例えばフットライト等の他の使用形態の照明装置として用いることができる。
【００２１】
本発明に係る照明装置は、前記灯部及び基部が固定される固定面と、照明装置を保持すべく保持部材に設けられた掛止体に掛止する被掛止孔が設けられ、前記固定面に立設された被掛止板部とを有する固定部材を備えていることを特徴とする。
【００２２】
本発明にあっては、固定部材の固定面に灯部及び基部を固定し、照明装置を保持すべく保持部材に設けられた掛止体に前記固定面に立設された被掛止板部に設けられた被掛止孔を掛止させているから、簡易な構成にて灯部及び基部を固定すると共に壁等の保持部材に照明装置を掛止することができ、例えばフットライト等の他の使用形態の照明装置として用いることができる。
【００２３】
本発明に係る照明装置は、前記灯部は複数の光源を備えてなり、該複数の光源夫々の点灯を制御することにより文字及び／又はパターンを表示するように構成してあることを特徴とする。
【００２４】
本発明にあっては、光源として複数の光源を用い、複数の光源夫々の点灯を適切に制御することにより文字及び／又はパターンを表示することができるから、本発明に係る照明装置を、表示装置等の異なる用途の装置としても用いることが可能となる。
【００２５】
本発明に係る照明装置は、前記光源はＬＥＤを備えてなることを特徴とする。
【００２６】
本発明にあっては、光源としてＬＥＤを用いているから、蛍光灯、電球等の光源を用いた場合と比較して灯部を薄型化することができる。
【発明の効果】
【００２７】
本発明によれば、照明装置を用途に応じた他の使用形態の照明装置として、又は表示装置等の異なる用途の装置として用いることができる。
【発明を実施するための最良の形態】
【００２８】
以下、本発明をその実施の形態を示す図面に基づいて、机上に載置され、机上を照らす用途に用いられる照明装置、所謂電気スタンドを例として詳述する。
（実施の形態１）
図１は、本発明の実施の形態１に係る照明装置１０の構成を示す概念図である。照明装置１０は、光源を有する灯部１と、灯部１が取付けられている取付部２と、取付部２が立設されている基部３とを備えている。図２は、取付部２と灯部１及び基部３との取付構造を略示する模式的断面図である。
【００２９】
灯部１は、図１に示すように、扁平な直方体状であり、各外面が略平面に形成されている。灯部１は、矩形板部１１ａと、該矩形板部１１ａの周縁に立設された周壁１１ｂと、該周壁１１ｂの矩形板部１１ａの逆側に設けられ、矩形開口が形成された矩形枠部１１ｃとを有する灯部筐体１１を備えている。
【００３０】
灯部筐体１１の内部には、光源としてのＬＥＤが前記矩形枠部１１ｃに適長離隔して対向するように設けてある。図３は灯部１を矩形枠部１１ｃの側から見た概略図である。図３に示すように、赤色ＬＥＤ１２ａ、緑色ＬＥＤ１２ｂ及び青色ＬＥＤ１２ｃの発光色の異なる３種類のＬＥＤを一組とする複数（図において９つ）のＬＥＤモジュール１２，１２…が、灯部筐体１１の周壁１１ｂの対向する２側壁に平行をなして複数列（図において１２列）に亘って矩形状の基板１２０上に配設してある。赤色ＬＥＤ１２ａ、緑色ＬＥＤ１２ｂ及び青色ＬＥＤ１２ｃは、ＬＥＤ素子と、該ＬＥＤ素子を封止し、蛍光体が分散された封止樹脂と、入力端子及び出力端子とを備えてなる表面実装型ＬＥＤである。なお、基板１２０は、ガラス繊維を含有するエポキシ樹脂製の平板であり、灯部筐体１１に固定してある。
【００３１】
また灯部１には、後述する灯部１及び基部３を接続する電線を収納する収納部１３が灯部筺体１１の周壁１１ｂの一側壁に沿って設けてある。収納部１３は、灯部筐体１１の矩形板部１１ａ、周壁１１ｂ及び矩形枠部１１ｃの一部と、灯部筐体１１内部を区切る仕切板１３ａとからなり、その内部に直方体状の空洞を有している。矩形板部１１ａ及び矩形枠部１１ｃには、矩形孔１１ｄ，１１ｅが夫々設けてある。
【００３２】
収納部１３を構成する矩形板部１１ａの内面には、図２に示すように、ゴム等の弾性体１４が矩形孔１１ｄ，１１ｅに整合する位置に取付けてあり、弾性体１４には、扁平な直方体状の嵌合部としての嵌合穴１４ａが設けてある。嵌合穴１４ａは、取付部２の嵌合を容易にすべく、矩形枠部１１ｃから矩形板部１１ａの方向に向けて、少なくとも対向する２面が互いに近接する方向に傾斜するように形成してある。
【００３３】
弾性体１４の近傍の仕切板１３ａには、後述する電線に設けられたオスコネクタが嵌合するメスコネクタ１５が設けてある。メスコネクタ１５には、リード線（図示せず）の一端が接続してあり、該リード線の他端は、ＬＥＤモジュール１２，１２…に接続してある。なお、灯部筐体１１の矩形枠部１１ｃは、メスコネクタ１５の近傍が部分的に開閉可能に構成してある。また、収納部１３は、該収納部１３を構成する周壁１１ｂの一部分が、収納部１３に電線を収容すべく、開閉可能に構成してある。
【００３４】
一方、収納部１３の照明装置１０の背面の側には、固定部１６が設けてある。固定部１６は、収容部１３の内部に凸状に突設されてなり、固定部１６には螺子穴１６ａが設けてある。
【００３５】
灯部筐体１１の矩形枠部１１ｃの内面には、該矩形枠部１１ｃの矩形開口より若干大きな矩形をなす透光板１７が設けてある。透光板１７は、広範囲の波長領域の光に対して高透過率である透明色の樹脂製であり、例えば、ＰＣ（ポリカーボネート）製である。なお、透光板１７として、ＬＥＤモジュール１２，１２…からの光を拡散して均一な照明光を得るべく、例えば、拡散剤が添加された乳白色の樹脂製、細かい凹凸加工が施された透明色の樹脂製等を用いてもよい。
【００３６】
取付部２は、細長い扁平な直方体状の筒体である。図４は、取付部２の外観斜視図であり、図５は、取付部２の分解斜視図である。図において２１は、フレームであり、フレーム２１は、細長い矩形板部２１ａと、該矩形板部２１ａの長辺側の端縁に立設された２つの側壁２１ｂ，２１ｂと、矩形板部２１ａの短辺側の端縁に立設された２つの側壁２１ｃ，２１ｃとを有している。短辺側の側壁２１ｃ，２１ｃのうち一方は他方よりも高さが若干低くしてある。長辺側の側壁２１ｂ，２１ｂの内面には、矩形板部２１ａに平行をなす溝（図示せず）が形成してある。取付部２は、フレーム２１の矩形板部２１ａと略同一寸法の矩形板状のカバー２２を有している。カバー２２には、長手方向の両側に矩形孔２２ａ，２２ａが設けてある。カバー２２には、前記溝に係合する係合部（図示せず）が長手方向に沿って形成してある。さらに取付部２は、灯部１及び基部３を接続する複数（図において４つ）の電線２３，２３…を有している。電線２３，２３…の両端部にはオスコネクタ２３ａ，２３ａが夫々設けてある。
【００３７】
電線２３，２３…の両端部をカバー２２の矩形孔２２ａ，２２ａに挿通させ、この状態にて、フレーム２１に設けられた溝にカバー２２に設けられた係合部を係合させつつ、フレーム２１とカバー２２とを一体化することにより、図４に示す取付部２の状態に組み立てられる。取付部２は、逆の手順により図４に示す状態から図５に示す状態に分解される。
【００３８】
基部３は、図１に示すように、扁平な直方体状であり、各外面が略平面に形成されている。基部３は、矩形板部３１ａと、該矩形板部３１ａの周縁に立設された周壁３１ｂと、該周壁３１ｂの矩形板部３１ａの逆側に設けられた矩形底部３１ｃとを有する基部筐体３１を備えている。矩形板部３１ａには、図２に示すように、矩形孔３１ｄが設けてある。
【００３９】
基部筐体３１の内部の矩形底部３１ｃの内面には、図２に示すように、ゴム等の弾性体３２が矩形孔３１ｄに整合する位置に取付けてあり、弾性体３２には、扁平な直方体状の嵌合部としての嵌合穴３２ａが設けてある。嵌合穴３２ａは、取付部２の嵌合を容易にすべく、矩形板部３１ａから矩形底部３１ｃの方向に向けて、少なくとも対向する２面が互いに近接する方向に傾斜するように形成してある。
【００４０】
また基部筐体３１の内部には、前述した電線２３，２３…の他端に設けられたオスコネクタ２３ａが嵌合するメスコネクタ３３が設けてある。メスコネクタ３３には、リード線（図示せず）の一端が接続してあり、該リード線の他端は、後述する回路基板に接続してある。なお、基部筐体３１の矩形板部３１ａは、メスコネクタ３３の近傍が部分的に開閉可能に構成してある。
【００４１】
基部筐体３１の照明装置１０の背面の側には、固定部３４が設けてある。固定部３４は、基部筐体３１の内部に凸状に突設されてなり、固定部３４には螺子穴３３ａが設けてある。基部筺体３１の矩形底部３１ｃには、図１に示すように、後述する照明装置１０を保持すべく、壁等の保持部材に設けられた掛止体に掛止するための被掛止孔３５が設けてある。被掛止孔３５は、円形孔部３５ａと該円形孔部３５ａの一部から円形孔部３５ａの径方向に照明装置１０の正面側に延びる矩形孔部３５ｂとからなる。
【００４２】
取付部２の一端を、灯部１の矩形枠部１１ｃの矩形孔１１ｅに挿通させ、弾性体１４の嵌合穴１４ａと嵌合させるとともに、灯部１に設けられたメスコネクタ１５に取付部２の一方のオスコネクタ２３ａを嵌合させることにより、取付部２の一端に灯部１が取付けられる。同様に、取付部２の他端を、基部３の矩形板部３１ａの矩形孔３１ｄに挿通させ、弾性体３２の嵌合穴３２ａと嵌合させるとともに、基部３に設けられたメスコネクタ３３に取付部２の他方のオスコネクタ２３ａを嵌合させることにより、取付部２が基部３に立設され、灯部１が取付部２により基部３に離隔して対向するように保持されることになる。基部３の矩形底部３１ｃの側を下側として、照明装置１０を机上に載置することにより、所謂電気スタンドとして用いることができる。
【００４３】
基部３には、基部筐体３１の内部に、ＬＥＤモジュール１２，１２…に電力を供給する電源回路、ＬＥＤモジュール１２，１２…の制御回路、駆動回路等の回路が形成された回路基板（図示せず）が設けてある。
【００４４】
図６は、実施の形態１に係る照明装置１０の構成を示すブロック図である。前記回路基板には、電源回路部４１が形成してあり、電源回路部４１は、外部電源から供給された交流電流を直流電流に整流する。
【００４５】
電源回路部４１には、同じく回路基板に形成された制御部４２及び駆動回路部４３，４３…が夫々接続されており、電源回路部４１は、制御部４２及び駆動回路部４３，４３…に直流電流を夫々供給する。
【００４６】
また制御部４２には、図１に示すように、基部３の矩形板部３１ａの外面がフラットになるように基部３に埋設され、点灯／消灯を切替えるとともに、照明光の色を切替える操作を受け付ける切替スイッチ５１が接続してあり、切替スイッチ５１からの信号が与えられている。切替スイッチ５１は、基部筐体３１の矩形板部３１ａに設けられた円板状のタッチセンサ樹脂部５１ａと、該タッチセンサ樹脂部５１ａに接触するように基部筐体３１の内部の回路基板に設けられた電極（図示せず）とを有する切替タッチセンサ５１ｂを備えている。さらに切替スイッチ５１は、該電極及びタッチセンサ樹脂部５１ａに生じる静電容量に応じた発振周波数での発振信号を発生するＲＣ発振回路と、発振周波数に応じた電圧信号を出力する周波数・電圧変換回路とを有する切替回路部５１ｃを備えている。切替スイッチ５１は、以上のように構成されたそれ自体公知のタッチパネルであり、詳細な説明は省略する。切替スイッチ５１は、人の指がタッチセンサ樹脂部５１ａに接触したときに、人体の静電容量により生じた静電容量の変化量を検出し、検出された結果に応じたパルス状の信号を制御部４２に与える。
【００４７】
制御部４２には、図１に示すように、基部３の矩形板部３１ａの外面がフラットになるように基部３に埋設され、照明装置１０の照明光の照度の設定を受け付ける照度設定スイッチ５２が接続してあり、照度設定スイッチ５２からの信号が与えられている。照度設定スイッチ５２は、細長い矩形板状のタッチセンサ樹脂板５２ａと、該タッチセンサ樹脂板５２ａに接触するように基部筐体３１の内部の回路基板に設けられた電極スライダ素子部（図示せず）とを有する照度設定タッチセンサ５２ｂを備えている。さらに照度設定スイッチ５２は、タッチセンサ樹脂板５２ａの長手方向の何れの位置に人の指が接触したかを検知すべく、複数区間における電極スライダ素子部及びタッチセンサ樹脂部５１ａに生じる静電容量に応じた発振周波数での発振信号を発生する複数のＲＣ発振回路と、複数の発振信号の発振周波数に応じて人の指の接触位置を求め、求めた接触位置に応じた電圧信号を出力する周波数・電圧変換回路とを有する照度設定回路部５２ｃを備えている。照度設定スイッチ５２は、以上のように構成されたそれ自体公知のタッチパネルであり、詳細な説明は省略する。照度設定スイッチ５２は、人の指がタッチセンサ樹脂板５２ａの長手方向のある位置に接触したときに、この接触位置に応じた信号を制御部４２に与える。
【００４８】
なお、このように切替スイッチ５１及び照度設定スイッチ５２を基部３の矩形板部３１ａの外面がフラットになるように基部３に設けているから、照明装置１０の表面をフラットにすることができ、スタイリッシュなデザインを可能とする。また、これらのスイッチ５１，５２は電子式に処理するスイッチであるので、接点の長寿命化に貢献し、蛍光灯に比べて寿命の長いＬＥＤを光源として用いる照明装置にふさわしい。
【００４９】
さらに制御部４２には、図１に示すように、取付部２に該取付部２の外面がフラットになるように埋設された人体センサ５３が接続してある。人体センサ５３は、人の存／否を検知するセンサであり、例えば、熱起電力効果を利用したサーモパイル、焦電効果を利用した焦電体等、公知の赤外線センサを用いることができる。人体センサ５３は、人体を検知したときに信号を制御部４２に与える。人体センサ５３は、電源回路部４１にスイッチング素子であるトランジスタを介して接続してあり、人体センサ５３には、前記トランジスタの閉動作に応じて電源回路部４１から電源が供給される。
【００５０】
さらに制御部４２には、図１に示すように、照明装置１０の正面側に灯部１の外面が略フラットになるように設けられた直方体状の赤外線送受信部５４がコネクタを介して接続してある。赤外線送受信部５４は、図６に示すように、赤外線受信部５４ａと、赤外線送信部５４ｂと、灯部１の内部に設けられたオスコネクタ（図示せず）に嵌合されるメスコネクタ（図示せず）とを備えており、モジュール化してある。赤外線送受信部５４の赤外線受信部５４ａには、赤外線送信機により信号が与えられる。
【００５１】
図７は、赤外線送信機６の模式的平面図である。赤外線送信機６は、使用者が持ち運び可能な程度の大きさの扁平な略直方体状をなす筐体を有しており、筐体の一面には、使用者が操作するための複数のキーが設けてあり、筐体の一端には、キーの操作に応じた赤外線信号の送信を行う送信部６１が設けてある。複数のキーは、点灯キー、消灯キー、タイマーキー、電源キー、０〜９の数字キー、赤、緑、青及び白の色キー、ブロック（ＢＬＫ）キー、図キー、時キー、分キー、繰返キー、照度キー、時計キー、点滅キー、減光キーにより構成される。
【００５２】
赤外線送受信部５４は、赤外線受信部５４ａにて、赤外線送信機６の赤外線送信部６１により送信された信号を受信して、制御部４２に与える。これにより、照明装置１０を赤外線送信機６により遠隔操作することができる。一方、赤外線送受信部５４は、制御部４２により与えられた送信指令に応じて、照明装置１０の設定内容を赤外線送信部５４ｂにより外部へ送信する。これにより、外部の赤外線受光部を備える受信機により、照明装置１０の設定内容を確認することができる。
【００５３】
制御部４２には、図１に示すように、基部３の矩形板部３１ａの外面がフラットになるように設けられ、切替スイッチ５１の操作に応じて点灯する３原色ＬＥＤ５５及び色表示ＬＥＤ５６が夫々接続してある。３原色ＬＥＤ５５と色表示ＬＥＤ５６は、表示用赤色ＬＥＤ５５ａ、表示用緑色ＬＥＤ５５ｂ及び表示用青色ＬＥＤ５５ｃと、これらのＬＥＤへの給電／遮断を行う複数のトランジスタとを備えている。３原色ＬＥＤ５５は、表示用赤色ＬＥＤ５５ａ、表示用緑色ＬＥＤ５５ｂ及び表示用青色ＬＥＤ５５ｃ夫々の色が表示されるように、表示用青色ＬＥＤ５５ｃは、表示用赤色ＬＥＤ５５ａ、表示用緑色ＬＥＤ５５ｂ及び表示用青色ＬＥＤ５５ｃからの光が混合したのちの色が表示されるようにしてある。これにより、混色具合を目前にて確認することが可能となる。
【００５４】
制御部４２には、図１に示すように、基部３の矩形板部３１ａの外面がフラットになるように設けられ、照度設定スイッチ５２の操作に応じて照度レベルを表示すべく点灯する照度レベル表示部５７が接続してある。照度レベル表示部５７は、一列に並設された複数（図６において８つ）のＬＥＤ５７ａ，５７ａ…と、該ＬＥＤ５７ａ，５７ａ…への給電／遮断を行う８つのトランジスタとを備えている。なお、これら表示用赤色ＬＥＤ５５ａ、表示用緑色ＬＥＤ５５ｂ、表示用青色ＬＥＤ５５ｃ及びＬＥＤ５７ａは、灯部１に設けられた赤色ＬＥＤ１２ａ、緑色ＬＥＤ１２ｂ及び青色ＬＥＤ１２ｃと同種のＬＥＤを用いており、説明は省略する。
【００５５】
さらに制御部４２には、赤色ＬＥＤブロック１１２ａ、緑色ＬＥＤブロック１１２ｂ及び青色ＬＥＤブロック１１２ｃ夫々を駆動する駆動回路部４３，４３…が接続してある。赤色ＬＥＤブロック１１２ａは、前述した灯部１に設けられた複数の赤色ＬＥＤ１２ａ，１２ａ…からなる。同様に、緑色ＬＥＤブロック１１２ｂ及び青色ＬＥＤブロック１１２ｃは、前述した灯部１に設けられた複数の緑色ＬＥＤ１２ｂ，１２ｂ…及び青色ＬＥＤ１２ｃ，１２ｃ…夫々からなる。駆動回路部４３，４３…は、スイッチング素子を備えており、赤色ＬＥＤブロック１１２ａ、緑色ＬＥＤブロック１１２ｂ及び青色ＬＥＤブロック１１２ｃ夫々に接続してあり、後述の如く制御部４２により与えられる信号に応じて、これらのＬＥＤブロックへの給電／遮断を行う動作をなす。
【００５６】
制御部４２は、切替スイッチ５１、照度設定スイッチ５２、人体センサ５３及び赤外線送受信部５４により与えられる信号に応じて次の制御動作をなす。
【００５７】
制御部４２は、切替スイッチ５１により与えられた信号がノイズであるか正規の信号であるかを判定し、正規の信号であるときに、与えられた信号に応じて照明光の色を決定するとともに、決定された色になるように表示用赤色ＬＥＤ５５ａ、表示用緑色ＬＥＤ５５ｂ及び表示用青色ＬＥＤ５５ｃを点灯するようにしてある。切替スイッチ５１により制御部４２に与えられる信号は、切替スイッチ５１に人の指が触れる毎に、白色オン、赤色オン、緑色オン、青色オン、電源オフの信号に順次切り替わるようにしてある。
【００５８】
制御部４２は、照度設定スイッチ５２により与えられた接触位置に応じた信号に基づいて、照度レベル表示部５７の８つのトランジスタを開／閉動作させることによりＬＥＤ５７ａ，５７ａ…を消灯／点灯するようにしてある。照度レベルの表示は、レベルに応じて、図において、照度レベル表示部５７の左側から右側に順次移行する。即ち、照度レベル表示部５７の一番左のＬＥＤ５７ａのみが点灯しているとき、最も低い照度レベルであり、照度レベル表示部５７の一番右のＬＥＤ５７ａまで全部のＬＥＤ５７ａ，５７ａ…が点灯しているのとき、最も高い照度レベルであることを意味する。このように照度が高くなるにつれて、点灯するＬＥＤ５７ａ，５７ａ…の数が増加するようにしているから、照度レベルの変化を容易に認識することができる。なお、照度レベル表示部５７による照度レベルの表示は、赤色ＬＥＤ、緑色ＬＥＤ、青色ＬＥＤの何れか又は白色ＬＥＤにより表示することができる。
【００５９】
この構成により、最初に、切替スイッチ５１に人の指が触れたとき、切替スイッチ５１により制御部４２に与えられる信号は白色オンの信号であり、この信号に応じて、３原色ＬＥＤ５５及び色表示ＬＥＤ５６の表示用赤色ＬＥＤ５５ａ、表示用緑色ＬＥＤ５５ｂ及び表示用青色ＬＥＤ５５ｃが全部点灯する。この状態にて、照度設定スイッチ５２のタッチセンサ樹脂板５２ａに人の指が触れることにより、白色における照度の設定が行われる。更に切替スイッチ５１に人の指が触れたとき、信号は赤色オンの信号になり、この信号に応じて、３原色ＬＥＤ５５及び色表示ＬＥＤ５６の表示用赤色ＬＥＤ５５ａのみが点灯する。この状態にて、照度設定スイッチ５２のタッチセンサ樹脂板５２ａに人の指が触れることにより、赤色における照度の設定が行われる。以後、切替スイッチ５１に触れる毎に、切替スイッチ５１により制御部４２に与えられる信号は緑色オン、青色オン、電源オフ、白色オン…の信号に順次切り替わり、３原色ＬＥＤ５５及び色表示ＬＥＤ５６からの光色も緑色、青色、オフ、白色…と順次切り替わることになる。そして、最後に設定された照明光の色及び照度の設定値が有効となり、その設定値に応じた照明が行われることになる。
【００６０】
制御部４２は、以上のように設定された設定値に応じて、赤色ＬＥＤブロック１１２ａ、緑色ＬＥＤブロック１１２ｂ及び青色ＬＥＤブロック１１２ｃの点灯及び消灯の切替え並びに点灯時の照度を調節すべく決定されたパルス信号を生成する。制御部４２は、生成したパルス信号を駆動回路部４３，４３…に与え、駆動回路部４３，４３…は、与えられたパルス信号に応じてスイッチング素子を開閉する動作をなす。この結果、赤色ＬＥＤブロック１１２ａ、緑色ＬＥＤブロック１１２ｂ及び青色ＬＥＤブロック１１２ｃには、スイッチング素子の開閉動作に応じたパルス状の電流が供給され、赤色ＬＥＤブロック１１２ａ、緑色ＬＥＤブロック１１２ｂ及び青色ＬＥＤブロック１１２ｃは、スイッチング素子の開閉動作に応じた明るさにて夫々点灯する。この結果、照明装置１０は、設定された照明光の色及び照度にて机上を照明することになる。
【００６１】
このように構成された照明装置１０は、前述した赤外線送信機６により種々の設定操作を受け付けることができるように構成してある。以下、１つの赤外線送信機６により複数の照明装置の設定操作が可能なように構成された場合を例にして説明する。所定の特殊キー、例えば０の数字キーを押すことにより、複数の照明装置全ての赤外線受信部５４ａが赤外線送信機６による信号を受信し、受信した信号に応じて制御部４２が前述した制御動作を行うようにしてある。即ち、赤外線送信機６の０キーを押したのち、電源キーを押した場合、赤外線を受信する全ての照明装置が点灯することになる。逆に、赤外線送信機６の０キーを押したのち、消灯キーを押した場合、赤外線を受信する全ての照明装置が消灯することになる。これにより、複数の照明装置を一括して制御することができる。
【００６２】
複数の照明装置は、予めコードが割り振られており、該コードを指定することにより複数の照明装置のうち一つ特定の照明装置に対して設定操作を行うことができるように構成してある。例えば、特定の照明装置（３番）の時刻設定を行う場合は、まず、時計キーを押したのち、３キーを押して、ＢＬＫキーを押すことにより３番の照明装置を指定する。次に、１キー、２キーのあとに時キーを押し、２キー、０キーのあとに分キーを押して時刻を入力し、再度、時計キーを押すことにより時刻の設定を確定する。
【００６３】
例えば、特定の照明装置（３番）を１時間１０分後に消灯するように設定する場合は、まず、３キーを押して、ＢＬＫキーを押すことにより３番の照明装置を指定する。次に、１キーのあとに時キーを押し、１キー、０キーのあとに分キーを押して、タイマーキーを押すことによりタイマーが起動する時間を入力し、消灯キーを押すことによりタイマーにより動作する制御内容（消灯命令）を指定するとともに、タイマー設定を確定する。同様にして、消灯キーの替わりに点灯キーを押すことにより、特定の照明装置（３番）を所定時間後に点灯するように設定することができる。同様に、消灯キーの替わりに減光キーを押すことにより、特定の照明装置（３番）を所定時間後に減光するように設定することができる。
【００６４】
また、例えば、特定の照明装置（３番）を１２時３０分に消灯するように設定する場合は、まず、３キーを押して、ＢＬＫキーを押すことにより３番の照明装置を指定する。次に、１キー、２キーのあとに時キーを押し、３キー、０キーのあとに分キーを押して、時計キーを押すことにより制御動作を行う時刻を入力し、消灯キーを押すことにより制御内容（消灯命令）を指定するとともに、設定内容を確定する。点灯又は減光の設定についても同様である。
【００６５】
このような設定内容は、新しい設定がなされたとき、又は消灯若しくは電源オフの信号が制御部４２に与えられたときに、制御部４２に接続された記憶部４４に記憶される。制御部４２は、照明装置が消灯したのち点灯したとき、又は照明装置の電源がオフになったのち電源がオンになったときに、記憶部４４に記憶された設定内容を読み出し、該設定内容に応じた制御動作を行うように構成してある。これにより、点灯時又は電源オン時に、設定動作を省略することができ、使用者の便宜を図ることができる。
【００６６】
このような照明装置１０は、さらに、人体センサ５３の検知結果に応じて、照明装置１０の点灯及び消灯の切替え（消灯モード）又は点灯時の照度の変更（減光モード）ができるように構成してある。制御部４２は、照明装置１０の点灯に応じて、人体センサ５３に電源が間欠的に供給されるように、電源回路部４１及び人体センサ５３間に前述したように設けられたトランジスタを動作させるようにしてある。
【００６７】
図８は、人体センサ５３の動作説明図である。図８の（１）は、照明装置１０が減光モードにて点灯しているときの人体センサ５３の動作を説明する図である。図８の（２）は、照明装置１０が消灯モードであるときの人体センサ５３の動作を説明する図である。図８（１）及び（２）の上図は、人体センサ５３に印加される電源電圧を、下図は、人体センサ５３により出力された検知信号を夫々示している。なお、人体センサ５３は、人を検知したときはパルス状の信号を出力し、人を検知しないときは信号を出力しないように構成してある。
【００６８】
減光モードにおいて、照明装置１０の点灯に応じて、図８の（１）の上図に示すように、人体センサ５３に所定周期にて間欠的に電源電圧が印加される。人体センサ５３により人が検知されたとき（図８の（１）の下図にて検知信号出力有のとき）は、検知信号が制御部４２に与えられ、制御部４２は同じ明るさにて点灯を継続する。一方、人体センサ５３により人が検知されないとき（図８の（１）の下図にて検知信号出力無のとき）は、人体センサ５３は通常の検知動作とは別に確認動作を行うようにしてある。即ち、人体センサ５３に短周期にて電源電圧を複数回（図において３回）印加し、複数回とも人が検知されないときに、制御部４２は人が不在であると判定する。制御部４２は、人が不在であると判定したときに、照明装置１０を、例えば、最大出力の明るさに対して３０％の明るさに減光するように駆動回路部４３，４３…を制御する。このとき、人体センサ５３には所定周期にて間欠的に電源電圧が印加されている。その後、人体センサ５３により人が検知されたとき（図８の（１）の下図にて検知信号出力有のとき）、同様に、確認動作を行う。制御部４２は、確認動作により人が存在すると判定したときに、記憶部４４に記憶されている設定値に応じた明るさにて点灯するように駆動回路部４３，４３…を制御する。
【００６９】
消灯モードにおいて、照明装置１０の点灯に応じて、同様に、図８の（２）の上図に示すように、人体センサ５３に所定周期にて間欠的に電源電圧が印加される。人体センサ５３により人が検知されたとき（図８の（２）の下図にて検知信号出力有のとき）は、検知信号が制御部４２に与えられ、制御部４２は点灯を継続する。一方、人体センサ５３により人が検知されないとき（図８の（２）の下図にて検知信号出力無のとき）は、人体センサ５３は通常の検知動作とは別に確認動作を行うようにしてある。即ち、人体センサ５３に短周期にて電源電圧を複数回（図において３回）印加し、複数回とも人が検知されないときに、制御部４２は人が不在であると判定する。制御部４２は、人が不在であると判定したときに、照明装置１０を消灯する。このとき、図示の如く、人体センサ５３にも電源電圧を印加しない、即ち次の点灯命令が制御部４２に与えられるまで人体センサ５３も動作しないようにしてある。その後、点灯命令が制御部４２に与えられたとき、制御部４２は、記憶部４４に記憶されている設定値に応じた明るさにて照明装置１０を点灯するように駆動回路部４３，４３…を制御するとともに、人体センサ５３に所定周期にて間欠的に電源電圧を印加するようにしてある。
【００７０】
このように人体センサ５３により照明装置１０の点灯及び消灯の切替え又は点灯時の照度の変更をするように構成しているから、人の存／否に関わらず点灯し続ける照明装置と比較してエネルギの消費を抑制することができる。また、人体センサ５３に印加する電源電圧を間欠的にすることにより、エネルギの消費を低減することができる。また、間欠的な人体監視に応じて、点灯保持時間を適切に設けることにより、点灯／消灯の切替、照度の切替が頻繁に生じることがなく、人に不快感を与えずにすむ。減光モードにおいては、使用者による点灯操作が不要となり、使用者の便宜を図ることができる。
【００７１】
以上のように構成された本発明に係る照明装置１０は、用途に応じた他の使用形態に変更すべく、前記灯部１及び基部３を近接して対向させることができる可変構造を備えている。可変構造は、以下に述べるように、灯部１及び基部３に対して取付部２を夫々着脱することができるように構成してなる。図９は、照明装置１０の他の使用形態を示す模式的断面図である。図１０は、灯部１及び基部３を固定する固定部材７の模式的外観斜視図である。他の使用形態として、通路の壁下部に設けられて足元を照らすフットライト等の壁掛け型の照明装置を例示している。なお、図９において、灯部１の内部に設けられたＬＥＤモジュール１２，１２…、基部３の内部に設けられた電源回路、制御回路及び駆動回路等の回路が形成された回路基板等の内部部品は、説明の便宜上省略している。
【００７２】
まず、照明装置１０は、図２に示す基部３に設けられたメスコネクタ３３から取付部２のオスコネクタ２３ａを引き抜き、取付部２を基部３の弾性体３２から引き抜くことにより、取付部２を基部３から取り外す。同様に、灯部１に設けられたメスコネクタ１５から取付部２のオスコネクタ２３ａを引き抜き、取付部２を灯部１の弾性体１４から引き抜くことにより取付部２を灯部１から取り外す。取付部２のフレーム２１からカバー２２を取り外し、電線２３，２３…を取外す。次に、基部３の矩形板部３１ａに設けられたカバー３６を取外し、灯部１に取付けられた赤外線送受信部５４を取外す。
【００７３】
さらに、一方のオスコネクタ２３ａを基部３のメスコネクタ３３に嵌合させ、他方のオスコネクタ２３ａを灯部１のメスコネクタ１５に嵌合させる。そして、灯部１の矩形板部１１ａと基部３の矩形板部３１ａとを当接させた状態にて、オスコネクタ２３ａ，２３ａ間を接続する電線２３，２３…の少なくとも一部を灯部１に設けられた収納部１３に収納する。そして、赤外線送受信部５４を基部３にカバー３６により覆われていた基部３内部に設けられたコネクタに接続するように灯部１の矩形板部１１ａの側から取付ける。なお、赤外線送受信部５４を、その内部に反射部を適切に設けて多方向からの赤外線を受信可能なように構成してもよい。これにより、赤外線受信部の取外し及び取付けが不要になる。
【００７４】
以上のように配置された灯部１及び基部３は固定部材７に取付けられる。固定部材７は、図１０に示すように、矩形板状の固定板部７１と、該固定板部７１の固定面である一面７１ａの長手方向の一端に立設された矩形板状の被掛止板部７２とからなるＬ字状の部材である。固定板部７１には、２つの孔７３，７４が長手方向に並設してある。該孔７３，７４は、固定板部７１の他面７１ｂから一面７１ａに向けて縮径する円錐台形の形状を有している。
【００７５】
被掛止板部７２には、基部３の基部筺体３１の矩形底部３１ｃに設けられた被掛止孔３５と同一形状の被掛止孔７５が設けてある。被掛止孔７５は、円形孔部７５ａと該円形孔部７５ａの一部から円形孔部７５ａの径方向に被掛止板部７２の他端側に延びる矩形孔部７５ｂとからなる。なお、固定部材７の被掛止孔７５及び基部３の被掛止孔３５の形状は、後述する掛止体の形状に合わせて適切に形成してある。
【００７６】
このような固定部材７の固定板部７１の一面７１ａに、基部３の側が固定部材７の被掛止板部７２の側になるように、灯部１及び基部３の固定部１６，３４の螺子穴１６ａ，３４ａと固定部材７の孔７３，７４とを整合させた状態にて、灯部１及び基部３を当接させ、ネジ７６，７７により灯部１及び基部３を固定部材７に固定する。
【００７７】
このように一体化された照明装置１０は、保持部材である壁１００に固定された掛止体であるネジ１０１に、固定部材７の被掛止孔７５及び基部３の被掛止孔３５にて掛止することにより、壁１００に保持され、他の使用形態である壁掛け型の照明装置として用いることができる。例えば、通路の壁の下部にこのような照明装置１０を取付けることにより、足元を照らすフットライトとして用いることができる。このように、本発明に係る照明装置１０は、前述した如く、取付部２を灯部１及び基部３夫々に対して着脱することができるように構成してなる可変構造により、机上を照明する用途に用いることができるとともに、壁に掛けて足元等を照明する用途にも用いることができる。
【００７８】
また、照明装置１０のＬＥＤモジュール１２，１２…夫々を個別に点灯制御することにより、文字及び／又はパターンを表示する表示装置として用いることができる。図１１及び図１２は、文字及び／又はパターンの表示例である。図中、点灯しているＬＥＤモジュール１２，１２…をハッチングにて示している。照明装置１０は、図１１に示すように、片仮名のア等の文字を表示することができるとともに、図１２に示すように、矢印等のパターンを表示することができる。
【００７９】
このような表示を順次点滅表示するように照明装置１０を構成することも可能である。この照明装置１０において、図３、図１１及び図１２に示す表示内容を所定時刻（１２時３０分）に順次点滅表示するように、赤外線送信機６を用いて設定操作する手順例を示す。前述した設定操作の説明と同様に、複数の照明装置１０がある場合を例に説明する。まず、３キーを押して、ＢＬＫキーを押すことにより３番の照明装置を指定する。次に、１キー、２キーのあとに時キーを押し、３キー、０キーのあとに分キーを押して、時計キーを押すことにより制御動作を行う時刻を入力する。次に、１キーと図キーを押すことにより表示内容（表示する文字及び／又はパターン）の選択を行い、点滅キーを押すことにより制御内容（点滅命令）を指定し、同様に、２キー、図キー、点滅キー、３キー、図キー、点滅キーを順次押したのち、点灯キーを押すことにより点滅パターンを決定する。なお、図３、図１１及び図１２に示す表示内容及び該表示内容に対応する数字キーの割り当てテーブルは、予め記憶部４４に記憶させてある。また、パターンの一例として矢印を示したが、矢印等の記号、図柄に限定されず、模様でもよい。このように、本発明に係る照明装置１０は、文字及び／又はパターン等の表示という照明と異なる用途にも用いることができる。
【００８０】
以上のように構成された実施の形態１に係る照明装置１０は、灯部１を基部３に立設された取付部２により保持することにより電気スタンドとして用いることができるとともに、図９に示すように、灯部１と基部３とを、灯部１の矩形板部１１ａと基部３の矩形板部３１ａとを当接させた状態にて、固定部材７により一体化したのち、照明装置１０を壁１００に保持することにより、他の使用形態の照明装置、即ちフットライト等の壁掛け型の照明装置としても用いることができる。また、図９に示すように保持された照明装置１０において、ＬＥＤモジュール１２，１２…夫々を個別に点灯制御することにより、図１１及び図１２に示す如く、文字及び／又はパターンを表示する表示装置としても用いることができる。以上のように、照明装置１０を、用途に応じた他の使用形態の照明装置として、又は表示装置等の異なる用途の装置として用いることができるから、使用者の便宜を図ることができる。
【００８１】
また、壁掛け型の照明装置として用いるときに、灯部１及び基部３を、平面同士を当接させて一体化しているから、照明装置１０を薄型化して省スペース化を図ることができる。また、壁掛け型の照明装置として用いるときに、取付部２を灯部１及び基部３から取外すとともに、基部３及び灯部１間を接続する電線を収納部１３に収納しているから、美観に資する。また、光源としてＬＥＤを用いているから、蛍光灯、電球等の光源を用いた場合と比較して、灯部１を薄型化することができる。
【００８２】
なお、本実施の形態に係る照明装置１０は、取付部２の一端及び他端を灯部１及び基部３に設けられた弾性体１４，３２の嵌合穴１４ａ，３２ａに夫々嵌合させるように構成してあるが、これに限定されず、取付部２が灯部１及び基部３夫々と着脱可能であるように構成してあればよい。取付部２の側に嵌合穴を、灯部１及び基部３の側に前記嵌合穴に嵌合する凸部を設けてもよい。
【００８３】
また、本実施の形態においては、灯部１及び基部３を接続する電線を収納する収納部を灯部１に設けているが、基部３に設けてもよい。
【００８４】
また、本実施の形態において、図１の電気スタンドの使用形態において、赤外線送受信部５４を灯部１の照明装置１０の正面側に設けているが、これに限定されず、灯部１の照明装置１０の側面側、又は灯部１の照明装置１０の上面側に設けてもよい。なお、この場合、灯部１の使用しない赤外線送受信部５４の嵌め込み部には、ダミーのモジュールが嵌め込まれている。このように赤外線の送受信可能な方向を適切に選択することができるように構成することにより、多数の照明装置が大部屋に点在している場合にも、多数の照明装置を一括して設定操作することが可能となり、使用者の設定の手間を軽減することができる。
【００８５】
また、本実施の形態においては、赤色ＬＥＤブロック１１２ａ、緑色ＬＥＤブロック１１２ｂ及び青色ＬＥＤブロック１１２ｃ毎に、又はＬＥＤモジュール１２，１２…毎に点灯制御することができるように構成してあるが、これに限定されない。赤色ＬＥＤ１２ａ，１２ａ…、緑色ＬＥＤ１２ｂ，１２ｂ…及び青色ＬＥＤ１２ｃ，１２ｃ…夫々を個別に点灯制御することができるように構成してもよい。
【００８６】
（実施の形態２）
図１３は、本発明の実施の形態２に係る照明装置の構成を略示する概念図である。なお、図１３は、電気スタンドの使用形態において、照明装置１０ａの背面側から見た概念図である。
【００８７】
照明装置１０ａは、光源を有する灯部１と、灯部１が取付けられている取付部８と、取付部８が設けてある基部３とを備えてなり、机１０２に載置して用いられる所謂電気スタンドである。本実施の形態においては、灯部１が取付けられている取付部８を、実施の形態１の如く着脱可能に構成するのでなく、折りたたみ可能に構成してなる可変構造により、前記灯部１及び基部３を近接して対向させることができるようにしてある。
【００８８】
取付部８は、灯部１に一端側にて取付けられた第１取付筒８１と、基部３に一端側にて取付けられた第２取付筒８２と、第１，第２取付筒８１，８２を他端側にて枢着する枢着部８３とを備えている。第１，第２取付筒８１，８２は、長細い扁平な直方体状の外形を有する筒体であり、その内部には、灯部１及び基部３間を接続する電線が収納してある。なお、その他の構成は、図１に示す実施の形態１と同様であるため、対応する構成部材に図１と同一の参照符号を付して、その構成の詳細な説明を省略する。また、実施の形態１において説明した灯部１及び基部３に設けられた種々の部品は、図１３に図示していないが、実施の形態２に係る照明装置１０ａも同様に備えている。前記部品及び該部品の機能の説明は省略する。
【００８９】
図１４及び図１５は、照明装置１０ａを他の使用形態である壁掛け型の照明装置／表示装置に変形する手順の説明図である。まず、図１４の（１）にて矢符にて示すように、灯部１を中心として基部３を、図において反時計回りに相対回転させる。この相対回転は、図１４の（２）に示す如く、基部３の矩形板部３１ａが灯部１の矩形板部１１ａと対向する位置に到達するまで行う。次に、第１，第２取付筒８１，８２を枢着部８３を中心として相対回転させることにより取付部８を折りたたみ、図１５の（１）に示す如く、灯部１及び基部３を互いに近接する方向に移動させる。そして、灯部１の矩形板部１１ａと基部３の矩形板部３１ａとを当接させた状態にて、灯部１及び基部３を固定部材（図示せず）に固定して一体化し、図１５の（２）に示す如く、保持部材である壁１００に保持する。このように壁１００に保持された照明装置１０ａは、壁掛け型の照明装置／表示装置として用いることができる。このように、本発明に係る照明装置１０ａは、取付部８を折りたたみ可能なように構成してなる可変構造により、机上を照明する用途に用いることができるとともに、壁に掛けて足元等を照明する用途、文字及び／又はパターン等の表示という照明と異なる用途にも用いることができる。
【００９０】
以上のように構成された実施の形態２に係る照明装置１０ａにおいては、基部３を灯部１に対して相対回転させたのち、第１取付筒８１と第２取付筒８２とを枢着部８３を中心として第１，第２取付筒８１，８２を相対回転させて取付部８を折りたたむことができるように構成してなる可変構造により、灯部１と基部３とを当接させて一体化している。これにより、第１取付筒８１と、第２取付筒８２と、これらを枢着する枢着部８３という簡易な構成にて、取付部８を取り外す作業をすることなく、用途に応じた他の使用形態の照明装置として、又は表示装置等の異なる用途の装置として用いることができる。
【００９１】
なお、本実施の形態に係る照明装置１０ａは、取付部８を、第１取付筒８１と、第２取付筒８２と、これらを枢着する枢着部８３とから構成しているが、これに限定されず、折りたたみ可能に構成してあればよい。
【００９２】
なお、以上の実施の形態においては、壁掛け型の照明装置又は表示装置を保持部材に掛止する掛止体としてネジを用いているが、これに限定されず、フック等、照明装置を掛止することが可能な部材であればよい。
【００９３】
また、以上の実施の形態において、取付部は、細長い直方体状の外形を有する四角筒体を備えてなるが、これに限定されず、例えば、円筒体でもよく、多角筒体でもよい。
【００９４】
また、以上の実施の形態においては、用途に応じた他の使用形態に変更すべく、灯部１及び基部３を近接して対向させることができる可変構造として、取付部２を灯部１及び基部３夫々に着脱することができるように構成してなる可変構造と、取付部８を折りたたみ可能に構成してなる可変構造について説明したが、可変構造はこれらに限定されない。
【００９５】
また、以上の実施の形態においては、電気スタンドを他の使用形態の照明装置であるフットライト等の壁掛け型の照明装置又は表示装置に適用可能に構成した例について説明したが、これに限定されない。照明装置１０を保持する保持部材は壁に限定されず、ラック、天井等であってもよい。即ち、他の使用形態の照明装置として、ダウンライト、間接照明用の照明装置等、種々の使用形態の照明装置への適用が考えられる。この場合、固定部材、並びに固定部材の被掛止孔及び基部３の被掛止孔３５は保持部材及び取付け方向に応じて適切に設定してある。なお、固定部材は、保持部材の形状、設置場所によっては、必須のものではない。
【００９６】
また、以上の実施の形態においては、光源として表面実装型ＬＥＤを用いているが、これに限定されず、他のタイプのＬＥＤ、ＥＬ（Ｅｌｅｃｔｒｏ  Ｌｕｍｉｎｅｓｃｅｎｃｅ）等を用いてもよい。
【００９７】
さらに、本発明は、その他、特許請求の範囲に記載した事項の範囲内において種々変更した形態にて実施することが可能であることは言うまでもない。
【図面の簡単な説明】
【００９８】
【図１】本発明の実施の形態１に係る照明装置の構成を示す概念図である。
【図２】取付部と灯部及び基部との取付構造を略示する模式的断面図である。
【図３】灯部を矩形枠部の側から見た概略図である。
【図４】取付部の外観斜視図である。
【図５】取付部の分解斜視図である。
【図６】実施の形態１に係る照明装置の構成を示すブロック図である。
【図７】赤外線送信機の模式的平面図である。
【図８】人体センサの動作説明図である。
【図９】照明装置の他の使用形態を示す模式的断面図である。
【図１０】灯部及び基部を固定する固定部材の模式的外観斜視図である。
【図１１】文字及び／又はパターンの表示例である。
【図１２】文字及び／又はパターンの表示例である。
【図１３】本発明の実施の形態２に係る照明装置の構成を略示する概念図である。
【図１４】照明装置を他の使用形態である壁掛け型の照明装置／表示装置に変形する手順の説明図である。
【図１５】照明装置を他の使用形態である壁掛け型の照明装置／表示装置に変形する手順の説明図である。
【符号の説明】
【００９９】
１  灯部
１３  収納部
１４，３２  弾性体
１４ａ，３２ａ  嵌合穴（嵌合部）
２  取付部
３  基部
７  固定部材
７１ａ  固定面
７２  被掛止板部
７５  被掛止孔
８  取付部
８１  第１取付筒
８２  第２取付筒
８３  枢着部
【図１】
2009301806.tif 000003
【図２】
2009301806.tif 000004
【図３】
2009301806.tif 000005
【図４】
2009301806.tif 000006
【図５】
2009301806.tif 000007
【図６】
2009301806.tif 000008
【図７】
2009301806.tif 000009
【図８】
2009301806.tif 000010
【図９】
2009301806.tif 000011
【図１０】
2009301806.tif 000012
【図１１】
2009301806.tif 000013
【図１２】
2009301806.tif 000014
【図１３】
2009301806.tif 000015
【図１４】
2009301806.tif 000016
【図１５】
2009301806.tif 000017